【手続補正書】
【提出日】平成25年6月4日(2013.6.4)
【手続補正１】
【補正対象書類名】特許請求の範囲
【補正対象項目名】全文
【補正方法】変更
【補正の内容】
【特許請求の範囲】
【請求項１】
撮影部と表示部と入力部と制御部と記憶部とを少なくとも備えたナビゲーション装置であって、
上記記憶部は、
特定地点の名称を示す名称情報を少なくとも含む地図の地図データを記憶する地図データ記憶手段と、
上記特定地点の案内情報を記憶する案内情報記憶手段と、
を備え、
上記制御部は、
上記撮影部を制御して撮影画像を取得する撮影画像取得手段と、
上記撮影画像取得手段により取得された上記撮影画像から表示内容を識別し、当該識別された当該表示内容に基づいて、当該撮影画像に対応する上記地図データの少なくとも一部を上記地図データ記憶手段から特定する画像識別手段と、
上記画像識別手段により特定された上記地図データを用いて、当該地図データに含まれる上記名称情報の表示領域を選択可能領域として設定した、上記特定地点を選択するための操作画面を生成する操作画面生成手段と、
上記操作画面生成手段により生成された上記操作画面の少なくとも一部を上記表示部に表示する操作画面表示手段と、
上記操作画面表示手段により表示された上記操作画面上の上記選択可能領域のうち、上記入力部を介して上記表示部を用いて選択された上記選択可能領域に対応する上記名称情報を設定する名称情報設定手段と、
上記名称情報設定手段により設定された上記名称情報に基づいて、当該名称情報に合致する上記案内情報を上記案内情報記憶手段から抽出し、当該抽出された当該案内情報の少なくとも一部を含む案内画面を生成する案内画面生成手段と、
上記案内画面生成手段により生成された上記案内画面の少なくとも一部を上記表示部に表示する案内画面表示手段と、
を備えたことを特徴とする、ナビゲーション装置。
【請求項２】
請求項１に記載のナビゲーション装置において、
上記名称情報は、
駅名、施設名、都道府県名、市区町村名、道路名、のうち少なくとも一つを示す情報であること、
を特徴とする、ナビゲーション装置。
【請求項３】
請求項１または２に記載のナビゲーション装置において、
上記画像識別手段は、
上記表示内容に含まれる文字列、当該文字列の配置、および、記号のうち少なくとも一つに基づいて、上記地図データ記憶手段に記憶された上記地図データを参照して上記撮影画像の撮影領域に該当する地点を特定することにより、上記撮影画像に対応する上記地図データの少なくとも一部を上記地図データ記憶手段から特定すること、
を特徴とする、ナビゲーション装置。
【請求項４】
請求項１から３のうちいずれか一つに記載のナビゲーション装置において、
上記記憶部は、
上記地図の文字列および当該文字列の配置に関する文字列配置情報を記憶する文字列配置情報記憶手段、
を更に備え、
上記画像識別手段は、
上記表示内容に含まれる上記文字列および上記文字列の配置のうち少なくとも一つに対応する上記文字列配置情報を上記文字列配置情報記憶手段から抽出し、当該抽出された当該文字列配置情報に基づいて、上記撮影画像に対応する上記地図データの少なくとも一部を上記地図データ記憶手段から特定すること、
を特徴とする、ナビゲーション装置。
【請求項５】
請求項１から４のうちいずれか一つに記載のナビゲーション装置において、
上記記憶部は、
上記地図に用いられる記号に関する記号情報を記憶する記号情報記憶手段、
を更に備え、
上記画像識別手段は、
上記表示内容に含まれる上記記号に対応する上記記号情報を上記記号情報記憶手段から抽出し、当該抽出された当該記号情報に基づいて、上記撮影画像に対応する上記地図データの少なくとも一部を上記地図データ記憶手段から特定すること、
を特徴とする、ナビゲーション装置。
【請求項６】
請求項１から５のうちいずれか一つに記載のナビゲーション装置において、
上記操作画面生成手段は、
上記撮影画像取得手段により取得された上記撮影画像、および、上記画像識別手段により特定された上記地図データを用いて、当該撮影画像上に当該地図データに含まれる上記名称情報の表示領域を上記選択可能領域として設定した上記操作画面を生成すること、
を特徴とする、ナビゲーション装置。
【請求項７】
請求項２から６のうちいずれか一つに記載のナビゲーション装置において、
上記案内情報は、交通機関の時刻表データを更に含み、
上記案内画面生成手段は、
上記名称情報設定手段により設定された上記名称情報が上記駅名を示す場合、当該駅名に対応する上記時刻表データを上記案内情報記憶手段から抽出し、当該抽出された当該時刻表データを含む上記案内画面を生成すること、
を特徴とする、ナビゲーション装置。
【請求項８】
請求項２から７のうちいずれか一つに記載のナビゲーション装置において、
上記案内情報は、施設のＰＯＩ情報を更に含み、
上記案内画面生成手段は、
上記名称情報設定手段により設定された上記名称情報が上記施設名を示す場合、当該施設名に対応する上記ＰＯＩ情報を上記案内情報記憶手段から抽出し、当該抽出された当該ＰＯＩ情報を含む上記案内画面を生成すること、
を特徴とする、ナビゲーション装置。
【請求項９】
請求項１から８のうちいずれか一つに記載のナビゲーション装置において、
上記記憶部は、
交通網データを記憶する交通網データ記憶手段、
を更に備え、
上記名称情報設定手段は、
上記入力部を介して上記表示部を用いて選択された上記選択可能領域に対応する上記名称情報を出発地または目的地として設定し、
上記制御部は、
上記名称情報設定手段により設定された上記出発地または上記目的地を含む案内経路を、上記交通網データ記憶手段に記憶された上記交通網データを用いて探索し、案内経路データを生成する案内経路探索手段、
を更に備え、
上記案内画面生成手段は、
上記案内経路探索手段により生成された上記案内経路データを含む上記案内画面を生成すること、
を特徴とする、ナビゲーション装置。
【請求項１０】
請求項９に記載のナビゲーション装置において、
上記制御部は、
上記ナビゲーション装置の利用者の現在位置情報を取得する現在位置情報取得手段、
を更に備え、
上記名称情報設定手段は、
上記現在位置情報取得手段により取得された上記現在位置情報を上記出発地として設定し、かつ、上記入力部を介して上記表示部を用いて選択された上記選択可能領域に対応する上記名称情報を上記目的地として設定し、
上記案内経路探索手段は、
上記名称情報設定手段により設定された上記出発地から上記目的地までの上記案内経路を上記交通網データ記憶手段に記憶された上記交通網データを用いて探索し、上記案内経路データを生成すること、
を特徴とする、ナビゲーション装置。
【請求項１１】
請求項１から１０のうちいずれか一つに記載のナビゲーション装置において、
上記入力部は、タッチパネルであること、
を特徴とする、ナビゲーション装置。
【請求項１２】
請求項１から１１のうちいずれか一つに記載のナビゲーション装置において、
上記撮影画像は、静止画および動画を含むこと、
を特徴とする、ナビゲーション装置。
【請求項１３】
制御部と記憶部とを少なくとも備えたナビゲーションサーバ、および、撮影部と表示部と入力部と制御部とを少なくとも備えた端末装置、を通信可能に接続したナビゲーションシステムであって、
上記ナビゲーションサーバの上記記憶部は、
特定地点の名称を示す名称情報を少なくとも含む地図の地図データを記憶する地図データ記憶手段と、
上記特定地点の案内情報を記憶する案内情報記憶手段と、
を備え、
上記ナビゲーションサーバの上記制御部は、
上記端末装置から送信される撮影画像の表示内容を受信する表示内容受信手段と、
上記表示内容受信手段により受信された上記表示内容に基づいて、上記撮影画像に対応する上記地図データの少なくとも一部を上記地図データ記憶手段から特定する画像識別手段と、
上記画像識別手段により特定された上記地図データを上記端末装置へ送信する地図データ送信手段と、
上記端末装置から送信される上記名称情報を受信する名称情報受信手段と、
上記名称情報受信手段により受信された上記名称情報に基づいて、当該名称情報に合致する上記案内情報を上記案内情報記憶手段から抽出する案内情報抽出手段と、
上記案内情報抽出手段により抽出された上記案内情報を上記端末装置へ送信する案内情報送信手段と、
を備え、
上記端末装置の上記制御部は、
上記撮影部を制御して上記撮影画像を取得する撮影画像取得手段と、
上記撮影画像取得手段により取得された上記撮影画像から上記表示内容を抽出する表示内容抽出手段と、
上記表示内容抽出手段により抽出された上記表示内容を上記ナビゲーションサーバへ送信する表示内容送信手段と、
上記ナビゲーションサーバから送信される上記地図データを受信する地図データ受信手段と、
上記地図データ受信手段により受信された上記地図データを用いて、当該地図データに含まれる上記名称情報の表示領域を選択可能領域として設定した、上記特定地点を選択するための操作画面を生成する操作画面生成手段と、
上記操作画面生成手段により生成された上記操作画面の少なくとも一部を上記表示部に表示する操作画面表示手段と、
上記操作画面表示手段により表示された上記操作画面上の上記選択可能領域のうち、上記入力部を介して上記表示部を用いて選択された上記選択可能領域に対応する上記名称情報を設定する名称情報設定手段と、
上記名称情報設定手段により設定された上記名称情報を上記ナビゲーションサーバへ送信する名称情報送信手段と、
上記ナビゲーションサーバから送信される上記案内情報を受信する案内情報受信手段と、
上記案内情報受信手段により受信された上記案内情報の少なくとも一部を含む案内画面を生成する案内画面生成手段と、
上記案内画面生成手段により生成された上記案内画面の少なくとも一部を上記表示部に表示する案内画面表示手段と、
を備えたことを特徴とする、ナビゲーションシステム。
【請求項１４】
ナビゲーションサーバに通信可能に接続された、撮影部と表示部と入力部と制御部とを少なくとも備えた端末装置であって、
上記制御部は、
上記撮影部を制御して撮影画像を取得する撮影画像取得手段と、
上記撮影画像取得手段により取得された上記撮影画像から表示内容を抽出する表示内容抽出手段と、
上記表示内容抽出手段により抽出された上記表示内容を上記ナビゲーションサーバへ送信する表示内容送信手段と、
上記ナビゲーションサーバから送信される地図データを受信する地図データ受信手段と、
上記地図データ受信手段により受信された上記地図データを用いて、当該地図データに含まれる名称情報の表示領域を選択可能領域として設定した、特定地点を選択するための操作画面を生成する操作画面生成手段と、
上記操作画面生成手段により生成された上記操作画面の少なくとも一部を上記表示部に表示する操作画面表示手段と、
上記操作画面表示手段により表示された上記操作画面上の上記選択可能領域のうち、上記入力部を介して上記表示部を用いて選択された上記選択可能領域に対応する名称情報を設定する名称情報設定手段と、
上記名称情報設定手段により設定された上記名称情報を上記ナビゲーションサーバへ送信する名称情報送信手段と、
上記ナビゲーションサーバから送信される上記案内情報を受信する案内情報受信手段と、
上記案内情報受信手段により受信された上記案内情報の少なくとも一部を含む案内画面を生成する案内画面生成手段と、
上記案内画面生成手段により生成された上記案内画面の少なくとも一部を上記表示部に表示する案内画面表示手段と、
を備えたことを特徴とする、端末装置。
【請求項１５】
端末装置に通信可能に接続された、制御部と記憶部とを少なくとも備えたナビゲーションサーバであって、
上記記憶部は、
特定地点の名称を示す名称情報を少なくとも含む地図の地図データを記憶する地図データ記憶手段と、
上記特定地点の案内情報を記憶する案内情報記憶手段と、
を備え、
上記制御部は、
上記端末装置から送信される撮影画像の表示内容を受信する表示内容受信手段と、
上記表示内容受信手段により受信された上記表示内容に基づいて、上記撮影画像に対応する上記地図データの少なくとも一部を上記地図データ記憶手段から特定する画像識別手段と、
上記画像識別手段により特定された上記地図データを上記端末装置へ送信する地図データ送信手段と、
上記端末装置から送信される上記名称情報を受信する名称情報受信手段と、
上記名称情報受信手段により受信された上記名称情報に基づいて、当該名称情報に合致する上記案内情報を上記案内情報記憶手段から抽出する案内情報抽出手段と、
上記案内情報抽出手段により抽出された上記案内情報を上記端末装置へ送信する案内情報送信手段と、
を備えたことを特徴とする、ナビゲーションサーバ。
【請求項１６】
表示部を少なくとも備えた端末装置に通信可能に接続された、制御部と記憶部とを少なくとも備えたナビゲーションサーバであって、
上記記憶部は、
特定地点の名称を示す名称情報を少なくとも含む地図の地図データを記憶する地図データ記憶手段と、
上記特定地点の案内情報を記憶する案内情報記憶手段と、
を備え、
上記制御部は、
上記端末装置から送信される撮影画像を受信する撮影画像受信手段と、
上記撮影画像受信手段により受信された上記撮影画像から表示内容を識別し、当該識別された当該表示内容に基づいて、当該撮影画像に対応する上記地図データの少なくとも一部を上記地図データ記憶手段から特定する画像識別手段と、
上記画像識別手段により特定された上記地図データを用いて、当該地図データに含まれる上記名称情報の表示領域を選択可能領域として設定した、上記特定地点を選択するための操作画面を生成する操作画面生成手段と、
上記操作画面生成手段により生成された上記操作画面を上記端末装置へ送信することにより、当該操作画面を上記表示部に表示させる操作画面表示制御手段と、
上記端末装置から送信される上記選択可能領域に対応する上記名称情報を受信する名称情報受信手段と、
上記名称情報受信手段により受信された上記名称情報に基づいて、当該名称情報に合致する上記案内情報を上記案内情報記憶手段から抽出し、当該抽出された当該案内情報の少なくとも一部を含む案内画面を生成する案内画面生成手段と、
上記案内画面生成手段により生成された上記案内画面を上記端末装置へ送信することにより、当該案内画面を上記表示部に表示させる案内画面表示制御手段と、
を備えたことを特徴とする、ナビゲーションサーバ。
【請求項１７】
ナビゲーションシステムにおいて実行されるナビゲーション方法であって、
上記ナビゲーションシステムは、
特定地点の名称を示す名称情報を少なくとも含む地図の地図データを記憶する地図データ記憶手段と、上記特定地点の案内情報を記憶する案内情報記憶手段と、撮影画像取得手段と、画像識別手段と、操作画面生成手段と、操作画面表示手段と、名称情報設定手段と、案内画面生成手段と、案内画面表示手段と、
を備え、
上記撮影画像取得手段が、撮影部を制御して撮影画像を取得する撮影画像取得ステップと、
上記画像識別手段が、上記撮影画像取得ステップにて取得された上記撮影画像から表示内容を識別し、当該識別された当該表示内容に基づいて、当該撮影画像に対応する上記地図データの少なくとも一部を上記地図データ記憶手段から特定する画像識別ステップと、
上記操作画面生成手段が、上記画像識別ステップにて特定された上記地図データを用いて、当該地図データに含まれる上記名称情報の表示領域を選択可能領域として設定した、上記特定地点を選択するための操作画面を生成する操作画面生成ステップと、
上記操作画面表示手段が、上記操作画面生成ステップにて生成された上記操作画面の少なくとも一部を表示部に表示する操作画面表示ステップと、
上記名称情報設定手段が、上記操作画面表示ステップにて表示された上記操作画面上の上記選択可能領域のうち、入力部を介して上記表示部を用いて選択された上記選択可能領域に対応する上記名称情報を設定する名称情報設定ステップと、
上記案内画面生成手段が、上記名称情報設定ステップにて設定された上記名称情報に基づいて、当該名称情報に合致する上記案内情報を上記案内情報記憶手段から抽出し、当該抽出された当該案内情報の少なくとも一部を含む案内画面を生成する案内画面生成ステップと、
上記案内画面表示手段が、上記案内画面生成ステップにて生成された上記案内画面の少なくとも一部を上記表示部に表示する案内画面表示ステップと、
を含むことを特徴とする、ナビゲーション方法。
【請求項１８】
撮影部と表示部と入力部と制御部と記憶部とを少なくとも備えたナビゲーション装置に実行させるためのプログラムであって、
上記記憶部は、
特定地点の名称を示す名称情報を少なくとも含む地図の地図データを記憶する地図データ記憶手段と、
上記特定地点の案内情報を記憶する案内情報記憶手段と、
を備え、
上記制御部において、
上記撮影部を制御して撮影画像を取得する撮影画像取得ステップと、
上記撮影画像取得ステップにて取得された上記撮影画像から表示内容を識別し、当該識別された当該表示内容に基づいて、当該撮影画像に対応する上記地図データの少なくとも一部を上記地図データ記憶手段から特定する画像識別ステップと、
上記画像識別ステップにて特定された上記地図データを用いて、当該地図データに含まれる上記名称情報の表示領域を選択可能領域として設定した、上記特定地点を選択するための操作画面を生成する操作画面生成ステップと、
上記操作画面生成ステップにて生成された上記操作画面の少なくとも一部を上記表示部に表示する操作画面表示ステップと、
上記操作画面表示ステップにて表示された上記操作画面上の上記選択可能領域のうち、上記入力部を介して上記表示部を用いて選択された上記選択可能領域に対応する上記名称情報を設定する名称情報設定ステップと、
上記名称情報設定ステップにて設定された上記名称情報に基づいて、当該名称情報に合致する上記案内情報を上記案内情報記憶手段から抽出し、当該抽出された当該案内情報の少なくとも一部を含む案内画面を生成する案内画面生成ステップと、
上記案内画面生成ステップにて生成された上記案内画面の少なくとも一部を上記表示部に表示する案内画面表示ステップと、
を実行させるためのプログラム。